(57)【要約】  本発明は、リムービング腰バンドを備えたオムツに関し、腰を基準として前側の腹部領域に配置されるオムツ第１本体と、前記オムツ第１本体の両側に連結されかつ伸縮可能な材質からなり、前記オムツ第１本体との間に形成される切り取り線により除去（removing）可能に設けられるリムービング腰バンドと、前記リムービング腰バンドの端部に設けられる腰バンドベルクロと、前記オムツ第１本体と連結され、前記腰を基準として後側のお尻領域に配置されるオムツ第２本体と、前記オムツ第２本体の両側に連結される結合羽と、前記結合羽の端部に設けられる結合羽ベルクロと、前記オムツ第１本体と前記オムツ第２本体をシワが寄るように連結するシワ連結部とを含む。【選択図】図３
2019524169.tif 000002
【特許請求の範囲】
【請求項１】
腰を基準として前側の腹部領域に配置されるオムツ第１本体と、
前記オムツ第１本体の両側に連結されかつ伸縮可能な材質からなり、前記オムツ第１本体との間に形成される切り取り線により除去（removing）可能に設けられるリムービング腰バンドと、
前記リムービング腰バンドの端部に設けられる腰バンドベルクロ（登録商標）と、
前記オムツ第１本体と連結され、前記腰を基準として後側のお尻領域に配置されるオムツ第２本体と、
前記オムツ第２本体の両側に連結される結合羽と、
前記結合羽の端部に設けられる結合羽ベルクロと、
前記オムツ第１本体と前記オムツ第２本体をシワが寄るように連結するシワ連結部と、を含むことを特徴とするリムービング腰バンドを備えたオムツ。
【請求項２】
前記オムツ第１本体には、前記オムツ第１本体を弾性的に膨張させるための第１弾性膨張部が設けられ、
前記オムツ第２本体には、前記オムツ第２本体を弾性的に膨張させるための第２弾性膨張部が設けられ、
前記オムツ第１本体、前記シワ連結部および前記オムツ第２本体には、排泄物吸収用パッドが設けられることを特徴とする請求項１に記載のリムービング腰バンドを備えたオムツ。
【発明の詳細な説明】
【技術分野】
【０００１】
本発明は、リムービング腰バンドを備えるオムツに関し、より詳細には、リムービング腰バンドが適用されることにより、さらに容易かつ簡便に着用させることができることはもちろん、着用後に除去できるようにすることにより、通気性の問題、皮膚損傷の問題、美観上の問題、大便処理の問題などが発生するのを防止できる、リムービング腰バンドを備えるオムツに関する。
【背景技術】
【０００２】
オムツは、小便や大便のような排泄物を吸収、保持することにより、身体排泄物が外側に漏れ出て、服や他部位の皮膚を汚染させないようにする下着の役割をする。
【０００３】
オムツは、０〜４才の乳児が使用することが一般的であり、一旦使用された後は、再使用することなく廃棄される。
【０００４】
一方、歩く前の１才以下の乳児は、上を向いて横になっていたり、活動量が少ないため、通常のオムツを着用させることがさほど難しくないので、大半の両親はこの時期の乳児に通常のオムツを使用する。
【０００５】
しかしながら、満１才を前後して歩き始める頃からは、通常のオムツだけでなく、着せやすいパンツ型オムツというものを使用するようになるが、満１才が過ぎて歩き始めたり、走り始める乳児の場合は、好奇心が強くて動きが多いにも関わらず、大人の話をよく理解できないので、通常のオムツを着用させることが容易でないのである。
【０００６】
特に、育児に不慣れな父親の育児参加が増加しつつあるに伴い、着せやすいパンツ型オムツの需要が持続的に増加している傾向にある。
【０００７】
例えば、通常のオムツを着用させようとするときは、まず、乳児を真っ直ぐ上を向いて寝かせた状態で、乳児の足をとってお尻を若干持ち上げた後、オムツを広げて下に敷いて、乳児の両足を広げて、オムツの一側端部が乳児の前面にくるようにした後、オムツの他側端部と相互間にベルクロ（登録商標）で固定しなければならない。
【０００８】
この際、生まれて間もない赤ちゃんの場合は、真っ直ぐ上を向いて横になっているので、オムツの着用が難しくないが、歩き始めたり、走り始める時は、乳児が大人しく横になろうとしないため、オムツを着用させることが非常に煩わしくなる。
【０００９】
また、パンツ型オムツの場合、乳児が満１才を前後にして歩き始めたり、走り始める頃からは、通常のオムツよりは乳児に着用させることは容易にできるが、その着用過程を見ると、パンツ型オムツは、乳児が着用している下衣や靴を全て脱がせなければならないという不便さがある。特に、寒い天気には、乳児は下着など多数の下衣を着ているので、この際、パンツ型オムツを乳児に着用させる過程は、非常に不便なことになる。
【００１０】
例えば、パンツ型オムツを着用させようとするときには、まず、乳児の靴を脱がせてから、下着、ズボンなど着ている下衣を全て脱がせ、パンツ型オムツを着用させた後に、脱がせた下衣を再び全て着せ、靴を再び履かせなければならない。
【００１１】
この際、乳児はじっとしていようとしないで、ずっと動こうとするので、服と靴などを脱がして再び着せることは、非常に煩雑であると同時に、乳児にもストレスを与える過程である。
【００１２】
だからと言って、オムツを着用しないわけにはいかないという点を考慮してみると、より簡便かつ手軽な方法で乳児に着用させることができるループ型オムツに関する必要性が提起され、本出願人は、このような発明について出願をし、韓国特許登録第１０−１５４９９８５号として登録を受けたことがある。前記登録発明（第１０−１５４９９８５号）は、オムツに腰バンドを適用することにより、オムツ着用の便宜性を図ったものである。参考として、前記公報には腰バンドをバンド部と命名した。
【００１３】
本出願人により登録された前記発明の場合、腰バンドによって着用の便宜性を図ることはできるが、場合によっては、腰バンドによる通気性の問題、皮膚損傷の問題、美観上の問題、大便処理の問題、着用上の問題などが引き起こされることも有り得るという点が指摘されている。つまり、腰バンドを着用し続けていると、通気性の問題、皮膚損傷の問題、美観上の問題、大便処理の問題などが引き起こされることもあり、着用時にも着用上の不便さが起こり得るということである。
【００１４】
例えば、腰バンドは、乳児の皮膚に密着している状態なので、腰バンドを着用しつづけていると、腰バンドの部分に汗が溜まるようになるが、乳児が活発に遊んだり、特に、暑い天気には汗がさらに溜まるようになるので、乳児が腰バンドのせいでさらに苦しさを感じるようになる。
【００１５】
また、活動性が強くなった乳児は、動きつづけながら、座り込んだり立ち上がったりする際、腰バンドの形態がよじれたり、重なってシワができるようになり、そのせいで破れたり広がった腰バンドのベルクロが乳児の皮膚に擦られ皮膚損傷を引き起こすことがあり得る。
【００１６】
乳児の活発な動きによってよじれたり重なってシワができた腰バンドは、美観上でも非常に良くないが、特に乳児が座ったり立ち上がったりすることを繰り返せば、腰に密着した腰バンドの位置はほとんど変化がないのに対し、お尻側のオムツ本体は、下へ下がるようになり、この過程で、オムツ本体に隠されていた腰バンドが、オムツ本体の上に露出するようになって、このように露出したりよじれたりシワができた腰バンドは、視覚的または美観上で非常に否定的な印象を残すようになる。
【００１７】
また、腰バンドは、小便によるオムツの交換時には便利さを提供するが、大便によるオムツの交換時には、かえって従来のオムツよりもさらに不便に感じられることがある。
【００１８】
例えば、乳児の大便量が多いか、または、大便量が少ないとしても、大便をした状態で床に座って遊ぶようになる場合は、腰バンドまで大便が押され上がって、腰バンドに付くようになるが、オムツを替るには腰バンドのベルクロを剥がさなければならないので、この過程で替える人の手に乳児の大便が付くような不便さが生じるようになる。
【００１９】
また、お母さん達は、乳児が立っている状態で大便を処理することは、きれいに拭き取り難いと思っているので、通常、乳児を寝かせて大便を処理することを好むが、その過程をみると、まず、着用していたオムツの側面のベルクロなどを剥がして、一方の手で乳児の両足をとって持ち上げた後、他方の手で大便が付いていない既存のオムツの前方のパッドを利用して大便を一度仮拭きした後、ウェットティッシュ等で大便を全て拭き取っている。しかし、腰バンドを着用した状態で乳児を寝かせた場合、腰バンドが乳児の背中に押されるようになって、腰バンドのベルクロを剥がすことがさらに不便になり、結局は、乳児の大便が手に付くこととなる。したがって、乳児を寝かせて大便を処理しなければならないお母さんにとって腰バンドは、従来よりもさらに不便さを感じさせることがある。
【００２０】
また、お母さん達は、最初に腰バンドを着用させるとき、腰バンドの着用後の前述した通気性の問題、皮膚損傷の問題、美観上の問題などが生じることを憂慮して、できるだけしわにならず、きちんとした形で着用させようと努力するが、この過程でも乳児がじっとしていないで動こうとするので、腰バンドをきちんとした形で一度に着用させることが容易でなく、そのため、腰バンドのベルクロを何回も貼り付けたり剥がしたりするなど、場合によっては、かえって着用上の不便さまでも惹起することがある。
【００２１】
したがって、このような諸事情を考慮してみると、腰バンドによる着用の便宜性はさらに向上させる一方で、着用後に腰バンドが除去されるようにすることにより、前述した通気性の問題、皮膚損傷の問題、美観上の問題、大便処理の問題などのような問題の発生を防止できるようにした新概念のオムツに対する必要性が提起される。
【００２２】
本発明の属する技術分野における先行技術文献としては、韓国特許出願第１０−１９９６−００５２８６８号、韓国特許出願第１０−２０００−００００９８７号、韓国特許出願第１０−２００９−００５７４７２号、韓国特許出願第１０−２００９−７００９３４４号それぞれの公開公報などがある。
【先行技術文献】
【特許文献】
【００２３】
【特許文献１】韓国登録特許第１０−１５４９９８５号
【特許文献２】韓国特許出願第１０−１９９６−００５２８６８号
【特許文献３】韓国特許出願第１０−２０００−００００９８７号
【特許文献４】韓国特許出願第１０−２００９−００５７４７２号
【特許文献５】韓国特許出願第１０−２００９−７００９３４４号
【発明の概要】
【発明が解決しようとする課題】
【００２４】
本発明の目的は、リムービング腰バンドが適用されることによって、より容易かつ簡便に着用させることができることはもちろん、着用後に除去できるようにすることにより、通気性の問題、皮膚損傷の問題、美観上の問題、大便処理の問題などが発生するのを防止できる、リムービング腰バンドを備えたオムツを提供することにある。
【課題を解決するための手段】
【００２５】
上記目的は、腰を基準として前側の腹部領域に配置されるオムツ第１本体と、前記オムツ第１本体の両側に連結され、かつ、伸縮可能な材質からなり、前記オムツ第１本体との間に形成される切り取り線により除去（ｒｅｍｏｖｉｎｇ）可能に設けられるリムービング腰バンドと、前記リムービング腰バンドの端部に設けられる腰バンドベルクロと、前記オムツ第１本体と連結され、前記腰を基準として後側のお尻領域に配置されるオムツ第２本体と、前記オムツ第２本体の両側に連結される結合羽と、前記結合羽の端部に設けられる結合羽ベルクロと、前記オムツ第１本体と前記オムツ第２本体とをシワが寄るように連結するシワ連結部とを含むことを特徴とするリムービング腰バンドを備えたオムツにより達成される。
【００２６】
前記オムツ第１本体には、前記オムツ第１本体を弾性的に膨張させるための第１弾性膨張部が設けられ、前記オムツ第２本体には、前記オムツ第２本体を弾性的に膨張させるための第２弾性膨張部が設けられ、前記オムツ第１本体と、前記シワ連結部および前記オムツ第２本体には、排泄物吸収用パッドが設けられる。
【発明の効果】
【００２７】
本発明によれば、リムービング腰バンドが適用されることにより、容易かつ簡便に着用させることができることはもちろん、着用後に除去できるようにすることにより、通気性の問題、皮膚損傷の問題、美観上の問題などが発生するのを防止できる効果がある。
【図面の簡単な説明】
【００２８】
【図１】図１は、本発明の一実施形態に係るリムービング腰バンドを備えたオムツの平面構造図である。
【図２】図２は、図１においてリムービング腰バンドを除去した状態を示す図である。
【図３】図３は、本発明の一実施形態に係るリムービング腰バンドを備えたオムツに対する図１の斜視図である。
【図４】図４は、乳児の後ろ姿である。
【図５】図５は、図４の乳児にリムービング腰バンドを備えたオムツを乳児に着用させる過程を段階的に示す図である。
【図６】図６は、図４の乳児にリムービング腰バンドを備えたオムツを乳児に着用させる過程を段階的に示す図である。
【図７】図７は、図４の乳児にリムービング腰バンドを備えたオムツを乳児に着用させる過程を段階的に示す図である。
【図８】図８は、図４の乳児にリムービング腰バンドを備えたオムツを乳児に着用させる過程を段階的に示す図である。
【図９】図９は、本発明の一実施形態に係るリムービング腰バンドを備えたオムツがバンド型で使用される状態を示す図である。
【図１０】図１０は、本発明の一実施形態に係るリムービング腰バンドを備えたオムツがパンツ型で使用される状態を示す図である。
【発明を実施するための形態】
【００２９】
本発明の利点および特徴、そしてそれらを達成する方法は、添付の図面と共に詳細に後述する実施例を参照すると明確になる。
【００３０】
しかしながら、本発明は、以下で開示される実施例に限定されるものではなく、互いに異なる多様な形態で実現できる。
【００３１】
本明細書において、本実施例は本発明の開示を完全にし、本発明の属する技術分野における通常の知識を有する者に発明の範疇を知らせるために提供されるものである。そして、本発明は、請求範囲の範疇により定義される。
【００３２】
したがって、いくつかの実施例において、公知の構成要素、公知の動作および公知の技術は、本発明が曖昧に解釈されることを避けるために具体的に説明されない。
【００３３】
明細書全般において、同一の参照符号は、同一構成要素を示す。そして、本明細書で使用された（言及された）用語は、実施形態を説明するためのものであり、本発明を制限しようとするものではない。
【００３４】
本明細書で、単数型は、文章で特に言及しない限り複数型も含む。また、「含む（または備える）」と言及された構成要素および動作（作用）は、一つ以上の他の構成要素および動作の存在または追加を排除しない。
【００３５】
他の定義がない限り、本明細書で使用されるすべての用語（技術および科学的用語を含む）は、本発明の属する技術分野における通常の知識を有する者に共通して理解され得る意味で使用され得る。
【００３６】
また、一般的に使用される辞書に定義されている用語は、定義されていない限り、理想的にまたは過度に解釈されない。
【００３７】
以下、添付の図面を参照して本発明の好適な実施形態を説明する。
【００３８】
図１は、本発明の一実施形態に係るリムービング腰バンドを備えたオムツの平面構造図であり、図２は、図１においてリムービング腰バンドを除去した状態を示す図であり、図３は、本発明の一実施形態に係るリムービング腰バンドを備えたオムツに対する図１の斜視図であり、図４は、乳児の後ろ姿であり、図５〜図８は、図４の乳児にリムービング腰バンドを備えたオムツを乳児に着用させる過程を段階的に示す図である。
【００３９】
これらの図面を参照すると、本実施形態に係るリムービング腰バンドを備えたオムツ１００は、リムービング腰バンド１１５が適用されることにより、さらに容易かつ簡便に着用させることができることはもちろん、着用後に除去できるようにすることにより、通気性の問題、皮膚損傷の問題、美観上の問題、大便処理の問題などが発生するのを防止できるようにしたものである。
【００４０】
このようなリムービング腰バンドを備えたオムツ１００は、オムツ第１本体１１０と、オムツ第２本体１２０と、シワ連結部１３０とを含むことができる。
【００４１】
一方、本実施形態では、説明の便宜のために、オムツ第１本体１１０と、オムツ第２本体１２０と、シワ連結部１３０とを区分して説明しているが、これらは、一体に製作されてもよく、あるいは一部が互いに連結されてもよい。
【００４２】
例えば、シワ連結部１３０は、オムツ第２本体１２０の端部に形成されるオムツ第２本体１２０の構成の一部であってもよい。
【００４３】
参考として、オムツ着用者は、図４のように概ね乳児であるが、成人、例えば挙動が困難な患者などの成人と愛玩犬などの伴侶動物を対象とすることもできる。
【００４４】
したがって、本実施形態に係るリムービング腰バンドを備えたオムツ１００は、乳児用に限らず、成人用と伴侶動物用のいずれも含むことができる。しかし、以下では説明の便宜のために、乳児用について説明することとする。
【００４５】
本実施形態に係るリムービング腰バンドを備えたオムツ１００の構造を詳しく記述すると、まず、オムツ第１本体１１０は、腰を基準として前側の腹部領域に配置される部分である。
【００４６】
すなわち、図４のように、乳児の後側でオムツ１００を着用させようとするときは、オムツ第１本体１１０が腹部領域、すなわち乳児の前側に配置され得る。
【００４７】
もちろん、図面とは異なって、乳児の前側でオムツ１００を着用させるときは、オムツ第１本体１１０がお尻領域に配置され、オムツ第２本体１２０が腹部領域に配置され得る。したがって、本発明は、着用方向性には関係しない。
【００４８】
オムツ第１本体１１０には、オムツ第１本体１１０を弾性的に膨張させるための第１弾性膨張部１１１が設けられる。第１弾性膨張部１１１は、バンドの縫い付けにより形成され得る。第１弾性膨張部１１１が設けられると着用が便利であるが、第１弾性膨張部１１１が必ずしも設けられるべきものではないので、このようなことに本発明の権利範囲が制限されない。
【００４９】
一方、オムツ第１本体１１０には、リムービング腰バンド１１５が設けられる。リムービング腰バンド１１５は、オムツ第１本体１１０の両側に連結され、伸縮可能な材質からなり、オムツ第１本体１１０との間に形成される切り取り線１１７により除去（ｒｅｍｏｖｉｎｇ）可能に設けられる一種の一時的な接着羽である。
【００５０】
具体的に記述すると、本実施形態においてリムービング腰バンド１１５は、一対で設けられ、オムツ第１本体１１０の両側に対称となるように設けられる。
【００５１】
このようなリムービング腰バンド１１５は、乳児たちの異なる発育状態と腰サイズを考慮すると、伸縮可能な弾性材質が適用されるべきだが、必ず伸縮可能な弾性材質が適用されなければならないものではない。リムービング腰バンド１１５の端部には、腰バンドベルクロ１１６が設けられる。
【００５２】
このようなリムービング腰バンド１１５は、切り取り線１１７によりオムツ第１本体１１０に連結されるので、図１で、図２のようにリムービング腰バンド１１５を引っ張ると、オムツ第１本体１１０からリムービング腰バンド１１５が容易に分離されて、第１本体１１０から除去できる。結果的に、リムービング腰バンド１１５は、一度着用しておいた状態で、オムツ１００を完全に着用させたら除去される部分である。
【００５３】
次に、オムツ第２本体１２０は、オムツ第１本体１１０と連結され、腰を基準として後側のお尻領域に配置される部分である。
【００５４】
図７のように、オムツ第２本体１２０は、お尻領域を包み込みながら安定して配置される。すなわち、本実施形態に係るリムービング腰バンドを備えたオムツ１００を着用したら、図７のように後方から見ると、オムツ第２本体１２０のみが見える。
【００５５】
オムツ第２本体１２０の両側には、一対の結合羽１２５が設けられる。そして、結合羽１２５の端部には、結合羽ベルクロ１２６が設けられる。
【００５６】
結合羽１２５に形成される結合羽ベルクロ１２６がオムツ第１本体１１０にそれぞれ付着されることにより、オムツ第１本体１１０とオムツ第２本体１２０を連結させる。すなわち、オムツ第２本体１２０は、乳児の前側で乳児の股の間を通って乳児のお尻の部分に配置された後、結合羽１２５の結合羽ベルクロ１２６によりオムツ第１本体１１０に結合され得る。
【００５７】
オムツ第２本体１２０にも、オムツ第２本体１２０を弾性的に膨張させるための第２弾性膨張部１２１が設けられる。第２弾性膨張部１２１もやはり、バンドの縫い付けにより形成され得る。もちろん、第２弾性膨張部１２１もやはり、選択事項である。
【００５８】
次に、シワ連結部１３０は、オムツ第１本体１１０とオムツ第２本体１２０をシワが寄るように連結する部分である。
【００５９】
シワ連結部１３０が形成されているので、本実施形態に係るリムービング腰バンドを備えたオムツ１００を折りたたんだ時は、体積が小さくなるのに対し、使用する時はサイズが拡張され得る。
【００６０】
最後に、排泄物吸収用パッド１４０は、オムツ第１本体１１０、シワ連結部１３０およびオムツ第２本体１２０にわたって配置されるパッドである。一体型であってもよく、あるいは別個で製作されて該当位置に付着してもよい。
【００６１】
オムツ第１本体１１０と、シワ連結部１３０およびオムツ第２本体１２０もやはり、人体に無害な材質の布や不織布などで製作されるが、実質的に小便や大便のような排泄物を吸収、保有することは難しい。
【００６２】
したがって、オムツ第１本体１１０、シワ連結部１３０およびオムツ第２本体１２０には、排泄物吸収用パッド１４０が設けられ、小便や大便のような排泄物を吸収、保有できるようにする。
【００６３】
以下、リムービング腰バンドを備えたオムツ１００の着用法について図４〜図８を参照して説明する。
【００６４】
図４のように、乳児が後を向いている状態なら、この状態でオムツ第１本体１１０を乳児の腹部領域に配置した後、一対のリムービング腰バンド１１５をお尻側に回しながら（図５の＋Ａ、−Ａ方向）、リムービング腰バンド１１５に設けられる腰バンドベルクロ１１６によりリムービング腰バンド１１５が互いに連結されるようにする。この際、リムービング腰バンド１１５は、オムツの着用完了後に即時除去すべき対象であるので、腰バンドベルクロ１１６の付着位置やリムービング腰バンド１１５が互いに連結された形などに気を遣わないで、単に着用上の便利さのためにリムービング腰バンドをしばらく付着しておくだけでよい。すなわち、従来の通気性の問題、皮膚損傷の問題、美観上の問題などの心配で腰バンドをきちんとよく付着するために何度も貼り付けたり剥がしたりするような不便なことなく、一度に単に互いに連結して付着しておくだけよい。
【００６５】
そうすると、一対のリムービング腰バンド１１５によりオムツ１００が乳児の腰の部分に一旦着用された状態となる。このような状態が図５である。
【００６６】
次に、図６のように、矢印Ｂ方向にオムツ第２本体１２０を股の間を通って乳児のお尻側に取り出す。
【００６７】
その後、図７のように、オムツ第２本体１２０を矢印Ｃ方向に持ち上げて、オムツ第２本体１２０がお尻を包み込むようにした後、オムツ第２本体１２０の両側に設けられる結合羽１２５を矢印Ｄ１、Ｄ２方向に引きながら、結合羽ベルクロ１２６を用いてオムツ第１本体１１０に結合させる。
【００６８】
このように、オムツ第２本体１２０の両側に設けられる結合羽１２５をオムツ第１本体１１０に結合させると、図７のように、リムービング腰バンド１１５は、オムツ第２本体１２０に隠されて見えない。しかし、リムービング腰バンド１１５は、乳児の腰を包み込んでいる状態である。
【００６９】
このような状態で、図８のように、オムツ第２本体１２０を広げてその内部に手を入れてリムービング腰バンド１１５を引っ張る。
【００７０】
リムービング腰バンド１１５を引っ張ると、引っ張る力により切り取り線１１７が破られて、オムツ第１本体１１０からリムービング腰バンド１１５が分離されて除去できる。
【００７１】
このように、リムービング腰バンド１１５が除去されれば、腰を取り囲みながら圧迫した要素が消えるので、通気性の問題、皮膚損傷の問題、美観上の問題などが発生するのを防止することができる。すなわち、図８の場合は、いかにも乳児を横にして一般オムツを着用させたものと類似した形態となる。
【００７２】
結果的に、リムービング腰バンド１１５は、オムツ１００を容易に着用させられるようにする役割を提供した後、除去されることにより、リムービング腰バンド１１５をずっと着用することに伴って発生し得る通気性の問題、皮膚損傷の問題、美観上の問題を予防することができる。
【００７３】
以上説明したような構造と作用を有する本実施形態によれば、リムービング腰バンド１１５が適用されることにより、さらに容易かつ簡便に着用させることができることはもちろん、着用後に除去できるようにすることにより、通気性の問題、皮膚損傷の問題、美観上の問題、大便処理の問題などが発生するのを防止することとなる。
【００７４】
本発明の効果についてより詳しく記述する。すなわち、本実施形態に係るオムツ１００を使用すると、わざわざ立っている乳児を横にさせる必要がない。また、本実施形態に係るオムツ１００は、パンツ型オムツのように、乳児が着ている下衣と靴を全て脱がせてから再び着せる煩わしさがなくなり、乳児のストレスを取り除くことができ、また、両親もやはり、難なくリムービング腰バンドを備えたオムツ１００を立っている状態で便利に着用させることができて、育児に非常に役に立てる。
【００７５】
実際、一日に１０個以上のオムツを換えなければならないという点を考慮してみると、本実施形態の方法が適用されると、両親に多いに便宜性を提供できることが予想される。
【００７６】
特に、通常のパンツ型オムツに比べて、本実施形態に係るリムービング腰バンドを備えたオムツ１００は、使用が非常に便利である。実際、パンツ型オムツは思ったより便利でない。すなわち、パンツ型オムツの場合、着用させること自体は便利に見えるが、服を着ている状態では、着ている下衣を全て脱がせてからパンツ型オムツを着用させ、服を再び着せなければならないという大きな不便さがある。
【００７７】
しかし、本実施形態に係るリムービング腰バンドを備えたオムツ１００は、服を着ている状態でも、容易に、便利かつ迅速に着用させることができて、非常に便利である。
【００７８】
このような構造と作用を有する本実施形態のリムービング腰バンドを備えたオムツ１００によれば、より簡便で手軽な方法で乳児に着用させることができる。
【００７９】
一方、図９は、本発明の一実施形態に係るリムービング腰バンドを備えたオムツが、バンド型で使用される状態を示す図であり、図１０は、本発明の一実施形態に係るリムービング腰バンドを備えたオムツが、パンツ型で使用される状態を示す図である。
【００８０】
親達は、一形状のオムツのみを使用するわけではなく、場合によって、通常の一般オムツとパンツ型オムツの両方を備える場合があり、これは、多様な育児環境と状況に応じてオムツの形状を選択して使用する必要性があるからである。
【００８１】
例えば、本実施形態に係るリムービング腰バンドを備えたオムツ１００は、すべてのベルクロが連結されている状態で、リムービング腰バンド１１５を切り取り線１１７に沿って除去すると、図１０のように、パンツ型オムツのように使用することができる。
【００８２】
また、すべてのベルクロを分離し、リムービング腰バンド１１５を切り取り線１１７に沿って除去すると、通常の一般オムツ、すなわち図９のようなバンド型オムツのように使用することができる。
【００８３】
言い換えると、本実施形態に係るリムービング腰バンドを備えたオムツ１００は、多様な育児環境と状況に応じてパンツ型オムツ（図１０参照）にも通常の一般オムツ（図９参照）にも変形して使用可能な３−ｉｎ−１機能のマルチ型オムツであるという点である。すなわち、本実施形態に係るリムービング腰バンドを備えたオムツ１００は、図３、図９および図１０のように、三つの形態、すなわちループ型、バンド型、パンツ型として使用可能な３−ｉｎ−１マルチオムツになり得るものである。
【００８４】
したがって、両親は、多様な育児環境と状況に対応するために、パンツ型オムツや通常の一般オムツを別々に備える必要もなく、本実施形態に係るリムービング腰バンドを備えたオムツ１００のみを備えればよい。
【００８５】
このように本発明は、記載された実施形態に限定されるものではなく、本発明の思想および範囲を逸脱することなく、多様に修正および変形できることは、当該技術分野における通常の知識を有する者に自明である。したがって、そのような修正例または変形例は、本発明の請求範囲に属すると言える。
【符号の説明】
【００８６】
１００  オムツ
１１０  オムツ第１本体
１１１  第１弾性膨張部
１１５  リムービング腰バンド
１１６  腰バンドベルクロ
１１７  切り取り線
１２０  オムツ第２本体
１２１  第２弾性膨張部
１２５  結合羽
１２６  結合羽ベルクロ
１３０  シワ連結部
１４０  排泄物吸収用パッド
【図１】
2019524169.tif 000003
【図２】
2019524169.tif 000004
【図３】
2019524169.tif 000005
【図４】
2019524169.tif 000006
【図５】
2019524169.tif 000007
【図６】
2019524169.tif 000008
【図７】
2019524169.tif 000009
【図８】
2019524169.tif 000010
【図９】
2019524169.tif 000011
【図１０】
2019524169.tif 000012
【国際調査報告】
2019524169.tif 000013
2019524169.tif 000014
2019524169.tif 000015
2019524169.tif 000016